(57)【要約】      （修正有）【課題】薬剤を注射するのに便利な注射器の構造を提供する。【解決手段】主に一つのシリンダー部１０で構成する注射器の構造であって、該シリンダー部の底部に一つの下定位台１１を設け、該シリンダー部の頂部に一つの上定位台１２を設ける。該上定位台の上方に一つの圧縮部１４を設け、該圧縮部の上方に一つのプレス部１５を設ける。一つの針管１６は該上定位台に固設し、且つ該圧縮部内に位置し、該針管の針先１６０は該プレス部の穿刺面１５０の下方に位置する。該下定位台の内壁面に一つの上凸縁１１１及び一つの下凸縁１１２を設け、該上定位台の外壁面に一つの上リング槽１２５及び一つの下リング槽１２６を設ける。該上定位台と該下定位台の間に、相互に套接する複数個の伸縮定位リング１３を設け、該伸縮定位リングは該シリンダー部の外部を覆設し、該伸縮定位リングに、相互に嵌設する定位突起部１３０と定位溝１３１を設ける。【選択図】図２
0003226575.tif 000002
【実用新案登録請求の範囲】
【請求項１】
主に一つのシリンダー部を含み、
該シリンダー部を蛇腹型にし、該シリンダー部の底部に一つの下定位台を設け、該下定位台に一つの突起部を設け、該シリンダー部の頂部に一つの上定位台を設け、該上定位台に一つの穴を設け、該上定位台の底面に一つの固定台を設け、該固定台の中に、一つの溝を設け、該固定台の底縁に該溝に連通する複数個の導引槽を設け、該上定位台の頂縁に定位ブロックを設け、該上定位台の上方に一つの圧縮部を設け、該圧縮部は円錐状の蛇腹型に設け、該圧縮部の上方に一つのプレス部を設け、該プレス部の中間部位に穿刺面を設け、該プレス部の両サイドを延伸して一つのフランジ部を設け、該フランジ部の底面には、該上定位台の該定位ブロックと互いに掛止するフックを設け、一つの針管は該上定位台の穴に固設し、該針管の底端は該固定台の溝内と連通し、該針管は該圧縮部内に位置し、該針管の針先は該プレス部の穿刺面の下方に位置し、
当該特徴は：該下定位台之内壁面に一つの上凸縁及び一つの下凸縁を設け、該上定位台の外壁面に一つの上リング槽及び一つの下リング槽を設け、該上定位台と該下定位台の間に、相互に套接する複数個の伸縮定位リングを設け、該伸縮定位リングは該シリンダー部の外部を覆設し、該伸縮定位リングに、相互に嵌設する定位突起部と定位溝を設けることを特徴とする注射器の構造。
【考案の詳細な説明】
【技術分野】
【０００１】
本考案は一種の注射器の構造に関し、特に被注射者が必要とする薬剤の量に基づき、段階式に注射することができ、それにより薬剤を注射するのにより便利になる注射器の構造に関する。
【背景技術】
【０００２】
通常の医療用注射器には一つのシリンダー、一つの押子及び一つの針管で構成する。従来の注射器は薬剤を注射する前に、まず針管をシリンダーにセットし、更に針管を薬剤瓶の中に挿し込み、シリンダー内に挿設する押子を引っ張ることで、針管から薬剤をシリンダー内に吸引する。そして針管を患者の体に挿入し、押子を押すことで、シリンダー内にある薬剤を患者の体内に注入して薬剤の注射を終える。しかし、従来の注射器は、薬剤を注射する操作過程が比較的面倒であり、また針管は細長い針本体を具有するため、使用する過程において、医療スタッフが針に刺されるアクシデントが発生しやすい。よって、針管の上に一つのプロテクターを套設することで、アクシデントを防ぐようにすることが多い。しかし、薬剤を注入した後、プロテクターを針管に嵌める際に、尚も不注意で針管に刺され、ウィルスを感染する憂いがある。また、従来の注射器及びプロテクターなどの使用量が、大量の医療廃棄物を発生させ、医療廃棄物の処理費用が膨大であることを鑑みて、更なる改善が必要であった。
【先行技術文献】
【特許文献】
【０００３】
【特許文献１】特開2020-36916号公報
【考案の概要】
【考案が解決しようとする課題】
【０００４】
本考案の主な目的は、注射器を使用する際の欠点を有効的に解決する注射器の構造を提供することにある。
【課題を解決するための手段】
【０００５】
上記の目的を解決するために、本考案は注射器の構造を提供するものである。該シリンダー部を蛇腹型にする。該シリンダー部の底部に一つの下定位台を設け、該下定位台に一つの突起部を設ける。該シリンダー部の頂部に一つの上定位台を設け、該上定位台に一つの穴を設ける。該上定位台の底面に一つの固定台を設け、該固定台の中に、一つの溝を設ける。該固定台の底縁に該溝に連通する複数個の導引槽を設ける。該上定位台の頂縁に定位ブロックを設ける。該上定位台の上方に一つの圧縮部を設け、該圧縮部は円錐状の蛇腹型に設ける。該圧縮部の上方に一つのプレス部を設け、該プレス部の中間部位に穿刺面を設ける。該プレス部の両サイドを延伸して一つのフランジ部を設ける。該フランジ部の底面には、該上定位台の該定位ブロックと互いに掛止するフックを設ける。一つの針管は該上定位台の穴に固設し、該針管の底端は該固定台の溝内と連通する。該針管は該圧縮部内に位置し、該針管の針先は該プレス部の穿刺面の下方に位置する。
【０００６】
当該特徴とは：該下定位台之内壁面に一つの上凸縁及び一つの下凸縁を設け、該上定位台の外壁面に一つの上リング槽及び一つの下リング槽を設ける。該上定位台と該下定位台の間に、相互に套接する複数個の伸縮定位リングを設け、該伸縮定位リングは該シリンダー部の外部を覆設し、該伸縮定位リングに、相互に嵌設する定位突起部と定位溝を設ける。
【０００７】
本考案の注射器の長所とは：針管、シリンダー部及び薬剤を一体化することで、医療スタッフが注射器を使用する安全性を高めることができる。別途プロテクターを設置する必要がなく、針管を注射器の内部に隠すことができ、針に刺される危険性を防止することができると共に、医療廃棄物の発生量及び医療廃棄物の処理費用を減少することができる。また、シリンダー部の外に伸縮定位リングを設置する設計により、被注射者に必要とする薬剤量に基づき、段階式に注射を行うことができ、薬剤を注射するのにより便利になる。
【考案の効果】
【０００８】
本考案の設計により、針管、シリンダー部及び薬剤を一体化にし、針管を注射器の内部に隠すことで、医療スタッフが注射器を使用する安全性を高めることができる。別途プロテクターを設置する必要がないため、医療廃棄物の発生量及び医療廃棄物の処理費用を減少することができる。また、シリンダー部の外に伸縮定位リングを設置する設計により、被注射者に必要とする薬剤量に基づき、段階式に注射を行うことができる。
【図面の簡単な説明】
【０００９】
【図１】本考案の実施例の立体図である。
【図２】本考案の実施例の組合せ断面図である。
【図３】本考案の実施例の注射器を保持する使用略図である。
【図４】本考案の実施例の一度目針管を押し出す使用略図である。
【図５】本考案の実施例の一度目針管を押し出す断面略図である。
【図６】本考案の実施例の第一段階の注射薬剤を押す断面略図である。
【図７】本考案の実施例の薬剤を全て注射する使用略図である。
【図８】本考案の実施例の薬剤を全て注射する断面略図である。
【考案を実施するための形態】
【００１０】
上記の本考案の使用目的及び効果、使用する技術手段について、実行するのに最良の実施例を挙げて、図式と合わせて以下のように説明する。
【実施例】
【００１１】
図１及び図２に示すように、注射器１の構造とは、主に一つのシリンダー部１０を設け、該シリンダー部１０を蛇腹型にする。該シリンダー部１０の底部に一つの下定位台１１を設け、該下定位台１１に一つの突起部１１０を設け、該下定位台１１之内壁面に一つの上凸縁１１１及び一つの下凸縁１１２を設ける。該シリンダー部１０の頂部に一つの上定位台１２を設け、該上定位台１２に一つの穴１２０を設ける。該上定位台１２の底面に一つの固定台１２１を設け、該固定台１２１の中に、一つの溝１２２を設ける。該固定台１２１の底縁に該溝１２２に連通する複数個の導引槽１２３を設ける。該上定位台１２の頂縁に定位ブロック１２４を設け、該上定位台１２の外壁面に一つの上リング槽１２５及び一つの下リング槽１２６を設ける。該上定位台１２と該下定位台１１の間に、相互に套接する複数個の伸縮定位リング１３を設け、該伸縮定位リング１３は該シリンダー部１０の外部を覆設し、該伸縮定位リング１３に、相互に嵌設する定位突起部１３０と定位溝１３１を設ける。該上定位台１２の上方に一つの圧縮部１４を設け、該圧縮部１４は円錐状の蛇腹型に設ける。該圧縮部１４の上方に一つのプレス部１５を設け、該プレス部１５の中間部位に穿刺面１５０を設ける。該プレス部１５の両サイドを延伸して一つのフランジ部１５１を設ける。該フランジ部１５１の底面には、該上定位台１２の該定位ブロック１２４と互いに掛止するフック１５２を設ける。一つの針管１６は該上定位台１２の穴１２０に固設し、該針管１６の底端は該固定台１２１の溝１２２内と連通する。該針管１６は該圧縮部１４内に位置し、該針管１６の針先１６０は該プレス部１５の穿刺面１５０の下方に位置する。該シリンダー部１０内に薬剤Ａを注入する。上述が一つの注射器の構造である。
【００１２】
図３から図８に示すように、本考案を使用する際、図３に示す通り、医療スタッフの親指はシリンダー１０の底部に、指二本をプレス部１５にあるフランジ部１５１に添えて、フランジ部１５１及びシリンダー部１０の底部にある下定位台１１を押すことで、プレス部１５が圧縮部１４を圧縮して上定位台１２に移動する。圧縮部１４内に位置する針管１６の針先１６０は、プレス部１５の穿刺面１５０を穿刺して突出すると同時に、円錐状の蛇腹型の圧縮部１４がプレス部１５によって押されて圧縮して折り畳んだ状態になる。図４及び図５に示すように、該上定位台１２の定位ブロック１２４はフランジ部１５１の底部にあるフック１５２内に引掛り、プレス部１５を上定位台１２に緩まないように定位する。このようにすれば、図７、図８に示すように、患者に薬剤を注射するとき、プレス部１５の穿刺面１５０から突出した針管１６の針先１６０を患者の体に挿入してからシリンダー部１０をプレス部１５の方に向けて押す。蛇腹型のシリンダー部１０は圧縮され、シリンダー部１０内にある薬剤Ａは押されて固定台１２１の底部にある溝１２２及び導引槽１２から針管１６内に入る。該薬剤Ａは針先１６０から患者の体内に注入され、シリンダー部１０内にある下定位台１１の突起部１１０が固定台１２１の溝１２２内に入ることで、突起部１１０によってシリンダー部１０内にある薬剤Ａを完全に押し出すことができ、薬剤Ａの注射が完了する。本考案はシリンダー部１０の外に伸縮定位リング１３を設置することで、被注射者が必要とする薬剤の量に基づき注射することができる。例えば、幼児、成人及び老人に必要な薬剤量が異なるために、段階式注射を行うことができる。図６に示すように、段階的に注射する際、上定位台１２は伸縮定位リング１３内に向って折り畳むことで、伸縮定位リング１３の内壁面にある定位突起部１３０が上定位台１２の上リング槽１２５及び下リング槽１２６内に嵌って定位し、第一段階の注射量を完了する。各段階の注射量を１０ｍｌに設定することができ、仮に注射量を更に増やしたい場合、引き続きプレス部１５を下に押すと、シリンダー部１０の外にある各伸縮定位リング１３は一つずつ折り畳む状態を呈す。各一つの伸縮定位リング１３の注射量を１０ｍｌに設定し、最上層の伸縮定位リング１３を下層の伸縮定位リング１３内に入ることで、各伸縮定位リング１３の内壁面にある定位突起部１３０と外壁面の定位溝１３１が互いに嵌めて定位する。図７、図８に示すように、薬剤Ａを全て注射する場合、各伸縮定位リング１３を完全に下定位台１１内にまで折り畳む。そうすれば、各伸縮定位リング１３の設置により、シリンダー部１０の毎回の押し出す薬剤Ａの注射量をコントロールし、異なる年齢層の被注射者に適量の薬剤Ａを注射する。薬剤Ａの注射が終ると、図４に示すように、シリンダー部１０とプレス部１５を押す力を緩めるだけで、シリンダー部１０の蛇腹型壁面は弾性力により原状に戻る。更にプレス部１５にあるフック１５２と定位プレート１２の定位ブロック１２４を外せば、該円錐状の蛇腹型の圧縮部１４は弾性によりプレス部１５を上向きに元の位置に押し戻す。当該圧縮部１４とプレス部１５は再び針管１６を隠し、針管１６が露出しないようになる。以上で薬剤を注射する動作が全て完了する。本考案は針管、シリンダー部及び薬剤を一体化することで、針管１６を注射器１の内部に隠すことができ、針に刺される危険性を防止するため、注射器を使用する際、確実に安全性を確保できる。また、別途プロテクターを設置する必要がないため、医療廃棄物の発生及びその処理費用を減少することができ、また薬剤注射の操作過程をよりシンプル化することで、薬剤注射をより便利なものにした。
【００１３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１４】
１ 注射器
１０  シリンダー部
１１  下定位台    
１１０  突起部
１１１  上凸縁    
1１２  下凸縁   
１２  上定位台
１２０  穴    
１２１  固定台    
１２２  溝
１２３  導引槽    
１２４  定位ブロック   
１２５  上リング槽
１２６  下リング槽    
１３  伸縮定位リング   
１３０  突起部
１３１  定位溝   
１４  圧縮部    
１５  プレス部
１５０  穿刺面    
１５１  フランジ部    
1５２  フック
１６  針管    
１６０  針先
Ａ 薬剤
【図１】
0003226575.tif 000003
【図２】
0003226575.tif 000004
【図３】
0003226575.tif 000005
【図４】
0003226575.tif 000006
【図５】
0003226575.tif 000007
【図６】
0003226575.tif 000008
【図７】
0003226575.tif 000009
【図８】
0003226575.tif 000010